(57)【要約】【課題】株間変速装置を操作する株間変速レバーと伝動切換機構を操作する操作レバーの操作位置を識別可能な田植機を提供する。【解決手段】第１の伝動軸４３に所定間隔を開けて疎植側ギヤ組７０及び密植側ギヤ組７１を配置し、第２の伝動軸４６の軸方向にシフトして疎植側ギヤ組７０及び密植側ギヤ組７１と選択的に噛合する前記株間変速ギヤ７２が、これらギヤ組７０，７１の両方と噛合しない前記所定間隔において、エンジン１５と植付作業機９との間の動力伝達を遮断するニュートラル位置を構成する。該ニュートラル位置を基準にして、株間変速レバーを一方側に傾倒すると広株間（疎植株間）、他方側に傾倒すると標準株間（密植株間）に設定される。【選択図】図４
2014039511.tif 000002
【特許請求の範囲】
【請求項１】
エンジンを搭載した走行機体と、該走行機体の後方に設けられて圃場に苗を植え付ける植付作業機と、前記エンジンからの回転を変速して、前記植付作業機に伝達する株間変速装置と、前記エンジンの回転を等速回転状態又は不等速回転状態に変更して前記植付作業機に伝達する伝動切換機構と、を備えた田植機において、
前記株間変速装置は、第１の伝動軸と、該第１の伝動軸に並列して配置される第２の伝動軸と、前記第１の伝動軸に所定間隔を開けて配置される疎植側ギヤ組及び密植側ギヤ組と、前記第２の伝動軸に配置されて、該第２の伝動軸の軸方向にシフトして前記疎植側ギヤ組及び密植側ギヤ組の各ギヤに選択的に噛合する株間変速ギヤと、を有し、
前記所定間隔は、前記株間変速ギヤが前記疎植側ギヤ組と前記密植側ギヤ組の両方に噛合しないで、前記エンジンと前記植付作業機との間の動力伝達を遮断するニュートラル位置を構成してなる、
ことを特徴とする田植機。
【請求項２】
前記株間変速装置は、前記株間変速ギヤをシフトするシフタと、該シフタを操作する株間変速レバーと、前記シフタの位置を位置決めするデテント機構と、を備え、
前記デテント機構は、前記シフタを前記ニュートラル位置で停止して位置決めしてなる、
請求項１記載の田植機。
【請求項３】
前記株間変速レバーの操作位置を表示する株間変速表示板を設け、
前記株間変速表示板は、前記株間変速ギヤが前記疎植側ギヤ組の各ギヤに選択的に噛合する範囲を示す疎植側株間表示部と、前記密植側ギヤ組の各ギヤに選択的に噛合する範囲を示す密植側株間表示部と、前記疎植側株間表示部と前記密植側株間表示部との間に位置し、前記ニュートラル位置を示すニュートラル表示部と、を有してなる、
請求項１又は２記載の田植機。
【請求項４】
前記株間変速表示板は、前記疎植側株間表示部と前記密植側株間表示部とが色分けされており、
前記伝動切換機構の操作レバーの操作位置を表示する伝動切換表示板を設け、
前記伝動切換表示板は、前記エンジンの回転を等速回転状態で前記植付作業機に伝達する範囲を示す等速回転表示部と、前記エンジンの回転を不等速回転状態で前記植付作業機に伝達する範囲を示す不等速回転表示部と、を有し、
前記等速回転表示部と前記不等速回転表示部とが、前記株間変速表示板の前記疎植側株間表示部及び前記密植側株間表示部の色分けされた色に対応するように色分けされてなる、
請求項３記載の田植機。
【発明の詳細な説明】
【技術分野】
【０００１】
本発明は、走行しつつ圃場に苗を植え付ける田植機に係り、詳しくは、苗の植付間隔（株間）を調節する株間変速装置に関する。
【背景技術】
【０００２】
一般に、車速に対する苗の植付間隔（株間）を調整して、株間を狭く取る密植と株間を広く取る疎植とに切換え得るように、ミッションケース内にエンジンから植付作業機に伝達される回転を変速する株間変速装置を備えた田植機が知られている。また、エンジンからの回転を等速回転で植付作業機に伝達する等速回転状態と、田面内を迅速に移動して田面に大きな穴を形成しないように、エンジンの回転を不等速回転で植付作業機に伝達する不等速回転状態と、に切換える伝動切換装置を備えた田植機が知られている。
【０００３】
従来、前記株間変速装置が密植（高速）の際には、植付爪が高速で移動するために、伝動切換装置を等速回転状態に切換えて、植付爪が田面を比較的緩やかに移動して植付け不良を防止し、前記株間変速装置が疎植（低速）の際には、植付爪が低速で移動するために、伝動切換装置を不等速回転状態に切換えて、植付爪が田面内を迅速に移動して田面に大きな穴が形成されるのを防止する田植機が案出されている（特許文献１参照）。
【先行技術文献】
【特許文献】
【０００４】
【特許文献１】特許第３７７６０４４号公報
【発明の概要】
【発明が解決しようとする課題】
【０００５】
上記特許文献１記載のものは、株間変速装置において、エンジンの回転を、外径が異なる６つのギヤ列のうち、変速操作軸を操作することでクラッチボールが入状態になった１つのギヤ列によって変速して植付作業機へと伝達する。上記６つのギヤ列は、例えば、株間の大きさが約１６ｃｍ，１８ｃｍ，２１ｃｍ，２４ｃｍとなる密植株間、２６ｃｍ，３０ｃｍとなる疎植株間になるようにそれぞれギヤ比が調整され、かつ互いに密接して配置されている。作業者は、各操作レバーによって株間変速装置及び伝動切換装置を操作するが、どの株間の大きさが密植株間又は疎植株間かをマークや取扱説明書等を見て確認して、これに対応するように伝動切換装置を適切に等速回転状態又は不等速回転状態に切換える必要があり、一目で株間変速装置と伝動切換装置の操作レバーの組み合わせが合っているかが分かりにくく誤操作する虞があるという問題があった。
【０００６】
そこで、本発明は、株間変速装置の密植側ギヤ組と疎植側ギヤ組とを所定間隔を開けて配置すると共に、該所定間隔がニュートラル位置を構成し、もって上述した課題を解決した田植機を提供することを目的とする。
【課題を解決するための手段】
【０００７】
本発明は、エンジン（１５）を搭載した走行機体（５）と、該走行機体（５）の後方に設けられて圃場に苗を植え付ける植付作業機（９）と、前記エンジン（１５）からの回転を変速して、前記植付作業機（９）に伝達する株間変速装置（４７）と、前記エンジン（１５）の回転を等速回転状態又は不等速回転状態に変更して前記植付作業機（９）に伝達する伝動切換機構（４８）と、を備えた田植機（１）において、
前記株間変速装置（４７）は、第１の伝動軸（４３）と、該第１の伝動軸（４３）に並列して配置される第２の伝動軸（４６）と、前記第１の伝動軸（４３）に所定間隔を開けて配置される疎植側ギヤ組（７０）及び密植側ギヤ組（７１）と、前記第２の伝動軸（４６）に配置されて、該第２の伝動軸（４６）の軸方向にシフトして前記疎植側ギヤ組（７０）及び密植側ギヤ組（７１）の各ギヤに選択的に噛合する株間変速ギヤ（７２）と、を有し、
前記所定間隔は、前記株間変速ギヤ（７２）が前記疎植側ギヤ組（７０）と前記密植側ギヤ組（７１）の両方に噛合しないで、前記エンジン（１５）と前記植付作業機（９）との間の動力伝達を遮断するニュートラル位置を構成してなる、
ことを特徴とする。
【０００８】
例えば図４及び図５を参照して、前記株間変速装置（４７）は、前記株間変速ギヤ（７２）をシフトするシフタ（７３）と、該シフタ（７３）を操作する株間変速レバー（７５）と、前記シフタ（７３）の位置を位置決めするデテント機構（７６）と、を備え、
前記デテント機構（７６）は、前記シフタ（７３）を前記ニュートラル位置で停止して位置決めしてなる。
【０００９】
例えば図９及び図１０を参照して、前記株間変速レバー（７５）の操作位置を表示する株間変速表示板（１０６１）を設け、
前記株間変速表示板（１０６１）は、前記株間変速ギヤ（７２）が前記疎植側ギヤ組（７０）の各ギヤに選択的に噛合する範囲を示す疎植側株間表示部（１０６ａ）と、前記密植側ギヤ組（７１）の各ギヤに選択的に噛合する範囲を示す密植側株間表示部（１０６ｂ）と、前記疎植側株間表示部（１０６ａ）と前記密植側株間表示部（１０６ｂ）との間に位置し、前記ニュートラル位置を示すニュートラル表示部（１０６ｃ）と、を有してなる。
【００１０】
例えば図１０及び図１１を参照して、前記株間変速表示板（１０６１）は、前記疎植側株間表示部（１０６ａ）と前記密植側株間表示部（１０６ｂ）とが色分けされており、
前記伝動切換機構（４８）の操作レバー（９５）の操作位置を表示する伝動切換表示板（１０７１）を設け、
前記伝動切換表示板（１０７１）は、前記エンジン（１５）の回転を等速回転状態で前記植付作業機（９）に伝達する範囲を示す等速回転表示部（１０７ｂ）と、前記エンジン（１５）の回転を不等速回転状態で前記植付作業機（９）に伝達する範囲を示す不等速回転表示部（１０７ａ）と、を有し、
前記等速回転表示部（１０７ｂ）と前記不等速回転表示部（１０７ａ）とが、前記株間変速表示板（１０６１）の前記疎植側株間表示部（１０６ａ）及び前記密植側株間表示部（１０６ｂ）の色分けされた色に対応するように色分けされてなる。
【００１１】
なお、上記カッコ内の符号は、図面と対照するものであるが、これにより特許請求の範囲の記載に何等影響を及ぼすものではない。
【発明の効果】
【００１２】
請求項１に係る本発明によると、株間変速ギヤが疎植側ギヤ組と密植側ギヤ組の両方と噛合しないニュートラル位置となるように、疎植側ギヤ組と密植側ギヤ組とを所定間隔を開けて配置したので、ニュートラル位置を基準として、一方側が疎植側、他方側が密植側と分かりやすく構成し、株間変速装置の疎植株間と密植株間に対応して、伝動切換機構を不等速回転状態又は等速回転状態に切換える際に誤操作することを防止することができる。
【００１３】
請求項２に係る本発明によると、シフタがニュートラル位置で停止して位置決めするようにデテント機構を設けたので、作業者がニュートラル位置を容易に認識することができ、該ニュートラル位置を基準とすることで株間変速装置の疎植株間又は密植株間の設定を容易に認識することができる。
【００１４】
請求項３に係る本発明によると、株間変速表示板の疎植側株間表示部、密植側株間表示部、及びニュートラル表示部を視認することで、株間変速レバーが、株間変速装置の疎植株間、密植株間、ニュートラル位置のどの設定に位置しているかを確認することができ、これに対応した伝動切換機構の等速回転状態又は不等速回転状態の切換え誤操作を防止することができる。また、植付作業機のメンテナンスを行なう際に、株間変速装置を容易にニュートラル位置に設定することができ、メンテナンス性を向上することができる。
【００１５】
請求項４に係る本発明によると、株間変速表示板の前記疎植側株間表示部及び前記密植側株間表示部の色分けされた色に対応するように等速回転表示部と不等速回転表示部とを色分けしたので、その対応関係を一目で確認することができる。
【図面の簡単な説明】
【００１６】
【図１】本発明の実施の形態に係る田植機を示す全体側面図。
【図２】その全体平面図。
【図３】本発明の実施の形態に係る田植機の動力伝達を示す動力伝動図。
【図４】本発明の実施の形態に係るミッションケースを示す展開図。
【図５】本発明の実施の形態に係る株間変速装置を示す背面図。
【図６】本発明の実施の形態に係る伝動切換機構を示す図であって、（ａ）は正面図、（ｂ）はそのケースの展開図。
【図７】本発明の実施の形態に係る株間変速装置及び伝動切換機構の操作レバーを示す側面図。
【図８】本発明の実施の形態に係る走行機体を示す背面斜視図。
【図９】本発明の実施の形態に係る走行機体に設けられた開口部を示す平面図。
【図１０】本発明の実施の形態に係る株間変速表示板を示す図であって、（ａ），（ｂ）は先の実施の形態のもの、（ｃ）は他の実施の形態のもの。
【図１１】本発明の実施の形態に係る伝動切換表示板を示す図であって、（ａ），（ｂ）は先の実施の形態のもの、（ｃ）は他の実施の形態のもの。
【図１２】株間変速表示板の配置の変形例を示す背面図。
【発明を実施するための形態】
【００１７】
以下、図面に沿って、本発明の実施の形態について説明する。田植機１は、図１及び図２に示すように、左右一対の前輪２及び後輪３に支持される走行機体５と、該走行機体５の後方に、油圧シリンダ６及びリンク機構７を介して昇降自在に連結された植付作業機９と、を有している。
【００１８】
上記植付作業機９は、マット苗を載置する苗載せ台１０と、圃場に苗を植え付ける植付装置１１と、を有しており、上記走行機体５の走行に合わせて該植付装置１１の植付爪１２が回転して上記苗載せ台１０から苗を掻き取ると共に、該苗載せ台１０が、植付作業の進行に合わせて、機体幅方向に移動する横送り駆動と、この横送り駆動の周期に合わせて載置されたマット苗を縦方向に送り出す縦送り駆動をすることによって、所定の植付間隔（株間）で圃場に苗を植え付けるように構成されている。
【００１９】
上記走行機体５は、前部にボンネット１３に覆われたエンジン１５（図３参照）が搭載されていると共に、後部に作業者が乗り込んで走行操作を行う運転操作部１６が設けられている。該運転操作部１６には、ステアリングハンドル１７、運転座席１９などが配設されており、該運転操作部１６の床面を構成しているメインステップ２０の下方には、ミッションケース２１が配設されている。
【００２０】
ついで、田植機１の動力伝達構造について説明をする。図３に示すように、上記エンジン１５からの出力は、オイルポンプ２２などの補機類に伝達されると共に、エンジン出力軸２３に設けられたプーリ２５と、ＨＳＴ入力軸２６に設けられたプーリ２７とが、ベルト２９により巻回されることによって、油圧式無段変速装置（ＨＳＴ）３０に出力される。
【００２１】
上記ＨＳＴ３０の出力軸は、不図示の主クラッチを介して、上記ミッションケース２１のミッション入力軸３１に連結されており、該ミッション入力軸３１は、エンジン１５からの動力を、上記前輪２及び後輪３に伝達する走行伝動系Ｓと、上記植付作業機９に伝達する植付伝動系∪と、に分岐する走行分岐ギヤ３２及び植付分岐ギヤ３３が取付けられている。上記植付伝動系∪に動力を分岐する走行分岐ギヤ３２は、上記ミッション入力軸３１に隣接した走行第１シャフト３５に設けられたギヤ３６と噛合している。
【００２２】
上記走行伝動系Ｓは、上記走行分岐ギヤ３２とギヤ３６との噛合によって分岐された動力を、上記ミッションケース２１内に内挿された走行第１乃至第３シャフト３５，３７，３９を介して左右のフロントアクスル４０に入力し、その動力を前輪２に伝達すると共に、上記走行第２シャフト３７からプロペラシャフト４１を介してリヤアクスル４２に動力を入力し、その動力を左右の後輪３に伝達する。
【００２３】
一方、上記植付伝動系∪において、上記植付分岐ギヤ３３は、上記ミッション入力軸３１と平行に隣接して設けられた植付第１シャフト（第１の伝動軸）４３に設けられたギヤ４５と噛合している。上記植付け伝動系∪は、上記植付分岐ギヤ３３と上記ギヤ４５との噛合によって分岐された動力を、上記植付第１シャフト４３及び該植付第１シャフト４３に並列して配置される植付第２シャフト４６（第２の伝動軸）に設けられた株間変速装置４７を介して、植付ＰＴＯシャフト４９に伝達し、伝動切換機構４８で等速回転状態又は不等速回転状態に変更されて、該植付ＰＴＯシャフト４９によって上記植付作業機９の植付駆動軸５０に出力する。より具体的には、上記植付第１シャフト４３に出力された動力は、上記ミッションケース２１に内装された株間変速装置４７によって所定段数（本実施の形態では４段階）に変速されると共に、上記植付第２シャフト４６の端部に設けられたトルクリミッタ５１を介してギヤ５２に伝達され、該ギヤ５２と上記植付ＰＴＯシャフト４９の端部に設けられたギヤ５３との噛合によって、該植付ＰＴＯシャフト４９に動力伝達が行われる。なお、上記植付第１シャフト４３と上記植付第２シャフト４６は、どちらが伝動上流側又は伝動下流側に配置されてもよく、密植側ギヤ組７１が上流に位置し、株間変速ギヤ７２が下流に位置するように構成してもよい。また、上記ギヤ５３と上記植付ＰＴＯシャフト４９との間には、上記植付作業機９への動力伝達を断接する植付クラッチ５５が介在しており、この植付クラッチ５５は、クラッチ切時に上記植付爪１２を圃場面に引きずらないように定位置停止クラッチとなっている。
【００２４】
上記植付駆動軸５０は、各植付装置１１に動力を入力する３つのスプロケット５６を有しており、上記スプロケット５６と上記植付装置１１のロータリ軸５７に設けられたスプロケット５９との間には、チェーン６０が巻回されている。これにより、上記植付装置１１のロータリ軸５７に動力が伝達されて、両端に上記植付爪１２が設けられたロータリケースが回転可能となると共に、該ロータリケースに内装されたギヤの噛合によって、上記植付爪１２に回転が伝達される。
【００２５】
また、上記植付駆動軸５０の端部には、軸６１にスプライン嵌合した複数のギヤ６２と噛合する、それぞれ歯数の異なった複数のギヤ６３が配設されており、これらギヤ列が上記苗載せ台１０を横方向に移動させるスクリューシャフト６５の駆動ギヤ６６と噛合することによって、上記苗載せ台１０の横送り速度を変速する横送り変速機構６７が構成されている。これらスクリューシャフト６５及び横送り変速機構６７などによって、上記苗載せ台１０の横送り駆動を達成する横送り機構６８が構成されている。上記スクリューシャフト６５の機体内側端部には、縦送り駆動カム６９が設けられており、上記苗載せ台１０の横送りに合わせて縦送りレバー（不図示）を間欠的に叩き上げ、縦送り駆動機構を駆動させて適正量の苗を送り出すように構成されている。
【００２６】
ついで、上記株間変速装置４７について、詳しく説明する。上記株間変速装置４７は、図４及び図５に示すように、上記植付第１シャフト４３に所定間隔を開けて一体的に配置される一組２枚の疎植側ギヤ組７０及び密植側ギヤ組７１と、上記植付第２シャフト４６に配置されて、該植付第２シャフト４６の軸方向にシフト自在の株間変速ギヤ７２と、を備えている。上記疎植側ギヤ組７０及び密植側ギヤ組７１は、それぞれ転位ギヤで構成されて歯数を異にしており、上記株間変速ギヤ７２の２つのギヤ７２ａ，７２ｂに選択的に噛合することで、計４段階の株間設定が可能となっている。
【００２７】
また、上記ミッションケース２１は、上記株間変速ギヤ７２をシフトするためのシフタ７３を支持しており、該シフタ７３は、その内端部に上記株間変速ギヤ７２に係合する切換えアーム７４が設けられると共に、その外端部に株間変速レバー７５が連繋されて、上記株間変速ギヤ７２をシフト自在に構成している。上記シフタ７３をシフト操作する上記株間変速レバー７５の操作位置は、デテント機構７６によって位置決めされており、該デテント機構７６は、上記ミッションケース２１に支持される圧縮バネ７７と、上記シフタ７３に形成される複数の凹部７９と、該圧縮バネ７７の先端に固定されて上記複数の凹部７９の一つに係合するように付勢されるボール８０と、から構成される。上記凹部７９は、上記シフタ７３上に５つ形成され、上記変速ギヤ７２と上記疎植側ギヤ組７０及び密植側ギヤ組７１とが選択的に噛合して４段階の株間設定を行なう４つと、上記株間変速ギヤ７２が、疎植側ギヤ組７０と密植側ギヤ組７１との間の所定間隔に配置されて、これらギヤ組７０，７１の両方に噛合しないで上記エンジン１５と上記植付作業機９との間の動力伝達を遮断するニュートラル（中立）位置を構成する１つと、からなる。
【００２８】
すなわち、上記株間変速レバー７５がどちらにも傾倒操作されていない直立位置にある時、上記デテント機構７６の上記ボール８０が、５つの上記凹部７９の真ん中に位置する１つに係合して位置決めされると共に、上記株間変速ギヤ７２は、上記疎植側ギヤ組７０及び密植側ギヤ組７１との間の上記所定間隔に配置（図４の破線で示される位置）されてニュートラル位置となる。上記株間変速レバー７５が、上記直立位置を基準として一方側に傾倒操作されると、上記ボール８０は、上記凹部７９の真ん中から一方側に位置する１つに係合して位置決めされると共に、上記株間変速ギヤ７２は、例えば疎植側ギヤ組７０と選択的に噛合して広株間（疎植株間）に設定される。上記株間変速レバー７５が、上記直立位置を基準として他方側に傾倒操作されると、上記ボール８０は、上記凹部７９の真ん中から他方側に位置する１つに係合して位置決めされると共に、上記株間変速ギヤ７２は、例えば密植側ギヤ組７１と選択的に噛合して標準株間（密植株間）に設定される。これら株間変速レバー７５の傾倒操作において、作業者は、ニュートラル位置を基準にすることで、現在の株間の設定が広株間と標準株間のどちらに設定されているかを容易に認識することができる。
【００２９】
ついで、上記伝動切換機構４８について、詳しく説明する。図６に示すように、上記伝動切換機構４８のケース８１には、入力側の軸である入力軸８２と、出力側の軸である出力軸８３と、カウンタ軸８５と、が回転自在に支持されている。上記入力軸８２と出力軸８３とは、一軸上に僅かな間隔を隔てて対向配置されており、上記カウンタ軸８５は、上記入力軸８２及び出力軸８３と並列して配置される。上記入力軸８２に回転自在に配置された偏心ギヤ８６と、上記カウンタ軸８５の一端にスプライン係合された偏心ギヤ８７と、によってこれら偏心ギヤ８６，８７が噛合してなる偏心ギヤ列が構成され、上記カウンタ軸８５の他端及び出力軸８３にスプライン係合された円形ギヤ８９，９０が噛合して円形ギヤ列が構成され、これら偏心ギヤ列及び円形ギヤ列により、上記エンジン１５の回転が不等速回転状態に変更されて上記植付作業機９に伝達される不等速伝動経路Ｎが構成される。
【００３０】
上記入力軸８２の一端部には、切換クラッチ９１が軸方向に摺動自在にスプライン係合しており、該切換クラッチ９１の両側面には、クラッチ爪９１ａ，９１ｂが設けられている。上記クラッチ爪９１ａが、上記円形ギヤ９０の一側面に形成されたクラッチ爪９０ａと係合することで、上記入力軸８２からの動力が上記出力軸８３を介して等速回転状態で植付作業機９に伝達され、等速伝動経路Ｅが構成される。また、上記クラッチ爪９１ｂが、上記偏心ギヤ８６の一側面に形成されたクラッチ爪８６ａと係合することで、上記入力軸８２からの動力が上記不等速伝動経路Ｎに伝達される。
【００３１】
上記ケース８１上部側には、前後方向に摺動自在なシフタ９２と、該シフタ９２に取付けられるシフタアーム９３と、操作レバー９５（図７，図１参照）を前後方向に操作することで上記シフタ９２をシフトするリンク機構９６と、が配設されている。上記シフタアーム９３は、上記切換クラッチ９１に形成された嵌合部９１ｃに嵌合しており、上記操作レバー９５を前後操作することで、上記リンク機構９６，シフタ９２，シフタアーム９３を介して上記切換クラッチ９１が摺動し、上記クラッチ爪９１ａ，９０ａ又は上記クラッチ爪９１ｂ，８６ａが嵌合して、上記等速伝動経路Ｅ又は不等速伝動経路Ｎに接続されて動力伝達される。
【００３２】
また、上記伝動切換機構４８は、不等速回転状態における伝動機構のガタ（バックラッシュ）を防止するために、上記不等速伝動経路Ｎで伝達された動力を周期的に制動するブレーキ機構９７を備えている。該ブレーキ機構９７は、上記カウンタ軸８５に形成されたブレーキカム９９に、スプリング１００によって付勢されたブレーキ１０１が当接することで、周期的に制動力を作用するように構成されている。
【００３３】
伝動切換機構４８を等速回転状態又は不等速回転状態に切換える操作レバー９５は、図７及び図１に示すように、上記ケース８１から上記リンク機構９６を介して、上方に突出して設けられていると共に、上記運転座席１９が取付けられる座席カバー１０２内に配置されている。また、上記株間変速装置４７を変速操作する上記株間変速レバー７５は、上記ミッションケース２１から上方に突出して設けられて、かつ上記ボンネット１３と共に上記エンジン１５を覆う後側カバー１０３から上方に突出するように配置されている。
【００３４】
より具体的に説明すると、図８及び図９に示すように、上記後側カバー１０３は、上記メインステップ２０との間に傾斜面１０３ａを有し、該傾斜面１０３ａには、開口部１０５が設けられている。上記株間変速レバー７５は、該開口部１０５から上方に突出して設けられて、作業者が該株間変速レバー７５を左右方向に傾倒操作することが容易となるように構成されている。上記開口部１０５の内方の上記株間変速レバー７５近傍には、該株間変速レバー７５の操作位置を表示する株間変速表示板１０６１が取付けられている。また、上記座席カバー１０２の上面には、上記操作レバー９５の操作位置を表示する伝動切換表示板１０７１が取付けられている。
【００３５】
上記株間変速表示板１０６１は、図１０（ａ）に示すように、上記株間変速ギヤ７２が上記疎植側ギヤ組７０の各ギヤに選択的に噛合する範囲を示す広株間表示部（疎植側株間表示部）１０６ａと、上記密植側ギヤ組７１の各ギヤに選択的に噛合する範囲を示す標準株間表示部（密植側株間表示部）１０６ｂと、上記広株間表示部１０６ａと上記標準株間表示部１０６ｂとの間に位置し、上述のニュートラル位置を示すニュートラル表示部１０６ｃと、を有しており、上記広株間表示部１０６ａと上記標準株間表示部１０６ｂは異なる色で色分けされている。なお、図１０（ｂ）に示すように、上記ニュートラル表示部１０６ｃを省略して、上記広株間表示部１０６ａと上記標準株間表示部１０６ｂとの間に上記株間変速レバー７５を位置させることで、ニュートラル位置を構成するように株間変速表示板１０６２を構成してもよい。
【００３６】
上記伝動切換表示板１０７１は、図１１（ａ）に示すように、上記エンジン１５の回転を不等速回転状態で上記植付作業機９に伝達する範囲を示す不等速回転表示部１０７ａと、等速回転状態で上記植付作業機９に伝達する範囲を示す等速回転表示部１０７ｂと、を有しており、上記不等速回転表示部１０７ａが上記広株間表示部１０６ａと同じ色で、上記等速回転表示部１０７ｂが上記標準株間表示部１０６ｂと同じ色で色分けされている。なお、本実施の形態では、広株間表示部１０６ａと不等速回転表示部１０７ａ、標準株間表示部１０６ｂと等速回転表示部１０７ｂとを対応付けて色分けしたが、広株間表示部１０６ａと等速回転表示部１０７ｂ、標準株間表示部１０６ｂと不等速回転表示部１０７ａとを対応付けて色分けしても良い。また、図１１（ｂ）に示すように、上記不等速回転表示部１０７ａと等速回転表示部１０７ｂとの間に位置し、上記切換クラッチ９１が上記不等速伝動経路Ｎと上記等速伝動経路Ｅの両方に動力伝達しない範囲を示す中立表示部１０７ｃを有してなる伝動切換表示板１０７２を構成してもよい。上述した株間変速表示板と伝動切換表示板との組み合わせは、上記株間変速表示板１０６１，１０６２と伝動切換表示板１０７１，１０７２とを選択的に各１つずつ選択した４通りからなるが、本実施の形態では、株間変速表示板１０６１と伝動切換表示板１０７１との組み合わせの場合を説明し、他の組み合わせの説明を省略する。
【００３７】
本実施の形態は、以上のような構成からなるので、作業者は、開口部１０５から上方に突出する株間変速レバー７５を左右に傾倒操作して、株間変速装置４７を変速操作する。作業者は、株間変速表示板１０６１で該株間変速レバー７５の位置を確認すると共に、デテント機構７６によって位置決めされて、例えば広株間側の１つの変速段に設定する。株間が比較的広い広株間に設定すると、植付爪１２が田面内に位置している時間が長くなることに起因して植付け苗の姿勢が悪くなる場合があり、これを防止するために伝動切換機構４８を不等速回転状態に切換える。すなわち、作業者は、運転座席１９を取り外して、座席カバー１０２に取り付けられた伝動切換表示板１０７１を確認しつつ、操作レバー９５を前後方向の一方側に傾倒操作して、不等速回転状態で動力伝達するように切換える。この際、株間変速レバー７５の広株間側の位置を示す広株間表示部１０６ａと、操作レバー９５の不等速回転状態側の位置を示す不等速回転表示部１０７ａとが同じ色で色付けされているので、一目でその対応関係を確認することができ、各レバー７５，９５の誤操作や操作忘れを防止することができる。また、デテント機構７６で位置決め規定されるニュートラル位置を基準として、一方側が広株間設定、他方側が標準株間設定と分かりやすく構成したので、株間変速装置４７の広株間設定と標準株間設定とを容易に認識することができる。
【００３８】
作業者は、株間変速レバー７５を傾倒操作して株間が比較的狭い標準株間に設定すると、植付爪１２が田面内で受ける大きな移動抵抗に起因する植付け不良を防止するために、伝動切換機構４８を等速回転状態に切換える。運転座席１９を取り外した後、座席カバー１０２に取り付けられた伝動切換表示板１０７１を確認しつつ、操作レバー９５を前後方向の他方側に傾倒操作して、等速回転状態で動力伝達するように切換える。この際、株間変速レバー７５の標準株間側の位置を示す標準株間表示部１０６ｂと、操作レバー９５の等速回転状態側の位置を示す等速回転表示部１０７ｂとが同じ色で色付けされているので、一目でその対応関係を確認することができ、各レバー７５，９５の誤操作や操作忘れを防止することができる。
【００３９】
植付作業機９のメンテナンスを行なう際には、株間変速表示板１０６１を確認しつつ、株間変速レバー７５をニュートラル位置となるように操作する。この際、株間変速表示板１０６１のニュートラル表示部１０６ｃの位置に合うように上記株間変速レバー７５を操作することで容易にニュートラル（中立）の設定を行うことができ、メンテナンス性を向上することができる。
【００４０】
次に、本発明に係る田植機の他の実施の形態について説明するが、先の実施の形態と同一又は同等部分には、図に同一符号を付して、説明を省略する。田植機１は、例えば図７を参照して、ケース８１から上方に突出して伝動切換機構４８を不等速回転状態又は等速回転状態の動力伝達に切換える操作レバー９５が、株間変速レバー７５と同様に左右方向に傾倒操作可能に構成されていると共に、株間変速装置４７の広株間設定と伝動切換機構４８の不等速回転状態設定、株間変速装置４７の標準株間設定と伝動切換機構４８の等速回転状態設定が、株間変速レバー７５及び操作レバー９５を同じ方向に傾倒することで達成するように構成されている。
【００４１】
上記開口部１０５の内方の上記株間変速レバー７５近傍には、該株間変速レバー７５の操作位置を表示する株間変速表示板１０９が取付けられている。該株間変速表示板１０９は、図１０（ｃ）に示すように、株間変速ギヤ７２が上記疎植側ギヤ組７０の各ギヤに選択的に噛合する範囲を示す広株間表示部（疎植側株間表示部）１０９ａと、上記密植側ギヤ組７１の各ギヤに選択的に噛合する範囲を示す標準株間表示部（標準株間表示部）１０９ｂと、上記広株間表示部１０９ａと上記標準株間表示部１０９ｂとの間に位置し、上述のニュートラル位置を示すニュートラル表示部１０９ｃと、を有している。
【００４２】
上記座席カバー１０２の上面には、上記操作レバー９５の操作位置を表示する伝動切換表示板１１０が取付けられている。該伝動切換表示板１１０は、図１１（ｃ）に示すように、上記エンジン１５の回転を不等速回転状態で上記植付作業機９に伝達する範囲を示す不等速回転表示部１１０ａと、等速回転状態で上記植付作業機９に伝達する範囲を示す等速回転表示部１１０ｂと、を有している。
【００４３】
本実施の形態は、以上のような構成からなるので、株間変速表示板１０９を確認しつつ、株間変速レバー７５を左右に傾倒操作して、株間変速装置４７を、ニュートラル位置を基準として広株間又は標準株間に設定する。次に、伝動切換表示板１１０を確認しつつ、操作レバー９５を上記株間変速レバー７５と同じ方向に傾倒操作して、伝動切換機構４８を不等速回転状態又は等速回転状態で動力伝達するように設定する。このような構成により、作業者は、株間変速レバー７５と操作レバー９５とを、同じ方向に傾倒操作するだけで、株間変速装置４７と伝動切換機構４８とを対応付けて設定することができる。
【００４４】
なお、株間変速表示板１０６１は、図１２に示すように、後側カバー１０３の株間変速レバー７５近傍に取付けてもよく、これに限らず田植機１のどこに取付けても良い。また、偏心ギヤ８６，８７は、他の非円形ギヤによって構成してもよく、エンジンの回転を不等速回転状態に変更するものならなんでも良い。
【００４５】
また、株間変速レバーが直立位置の時をニュートラル位置となるように設定したが、直立位置から左右どちらかに所定量傾倒している状態をニュートラル位置として、該ニュートラル位置を基準として、一方側が広株間設定、他方側が標準株間設定としても良い。
【００４６】
また、株間変速表示板１０６１及び伝動切換表示板１０７１は、機体カバー等に貼り付けるステッカー、ボルト等で取付けるプレート、機体カバーに直接着色された表示面、等を含み、株間変速レバー７５又は操作レバー９５の操作位置を表示するものならどのようなものでもよい。また、広株間表示部１０６ａ，標準株間表示部１０６ｂ，不等速回転表示部１０７ａ，及び等速回転表示部１０７ｂは、色ではなく模様によって分けてもよく、これらの対応関係が識別できる表示ならば、どのような表示方法であってもよい。
【００４７】
また、駆動源としてエンジンのみならず、電気式や、油圧式などのモータを使用しても良いとともに、これらエンジンとモータとのハイブリッドを駆動源としてもよい。また、上記実施形態では、乗用型の田植機を例にして説明したが、当然に歩行型の田植機に本発明を適用しても良い。
【符号の説明】
【００４８】
１    田植機
５    走行機体
９    植付作業機
１５    エンジン
４３    植付第１シャフト（第１の伝動軸）
４６    植付第２シャフト（第２の伝動軸）
４７    株間変速装置
４８    伝動切換機構
７０    疎植側ギヤ組
７１    密植側ギヤ組
７２    株間変速ギヤ
７３    シフタ
７５    株間変速レバー
７６    デテント機構
９５    操作レバー
１０６１，１０６２，１０９    株間変速表示板
１０６ａ    広株間表示部（疎植側株間表示部）
１０６ｂ    標準株間表示部（密植側株間表示部）
１０６ｃ    ニュートラル表示部
１０７１，１０７２，１１０    伝動切換表示板
１０７ａ    不等速回転表示部
１０７ｂ    等速回転表示部
【図１】
2014039511.tif 000003
【図２】
2014039511.tif 000004
【図３】
2014039511.tif 000005
【図４】
2014039511.tif 000006
【図５】
2014039511.tif 000007
【図６】
2014039511.tif 000008
【図７】
2014039511.tif 000009
【図８】
2014039511.tif 000010
【図９】
2014039511.tif 000011
【図１０】
2014039511.tif 000012
【図１１】
2014039511.tif 000013
【図１２】
2014039511.tif 000014